(57)【要約】      （修正有）【課題】枕飾りの台として使用した白木机を火葬後の後飾り祭壇に用いられる経机を形成するためにも利用することができ、遺族の葬儀にかかる経済的負担を軽減した経机カバーセットを提供する。【解決手段】白木机２と、前記白木机２を被覆可能な大きさに形成された机カバー１５とからなり、前記白木机２は、故人の遺体の枕元に設置しておく枕飾りの台として使用できると共に、火葬後は、前記経机に前記机カバー１５を被せた状態で、故人の遺影等を天板上に安置して飾ることが可能である経机カバーセット１４。【選択図】図２
0003179865.tif 000002
【実用新案登録請求の範囲】
【請求項１】
枕飾りに使用される白木机の天板の左右の長さ以上のカバー長さと、少なくとも前記天板の前後幅及び前記白木机の正面高さを合わせたカバー幅とを有する矩形形状に形成されてなる机カバーと、
大きさの異なる正方形状からなる大座布団及び小座布団とを備え、
前記机カバーを前記白木机に被せた場合に、前記机カバーが前記白木机の天板の上面全体及び少なくとも前記白木机の正面全体を被覆可能であり、
前記白木机に前記机カバーを被せ、かつ前記天板上を覆った前記机カバー上に大座布団及び小座布団を左右に並べて配置することによって、後飾り祭壇に用いられる経机を形成することができる
ことを特徴とする経机カバーセット。
【考案の詳細な説明】
【技術分野】
【０００１】
本願考案は、故人の遺影等を安置して飾るための後飾り祭壇に使用する経机カバーセットに関する。
【背景技術】
【０００２】
我が国では、家人が亡くなると通夜が行われ、遺体の枕元には白木机の上に三具足（香炉、燭台、花立て）、鈴、水、枕飯、枕団子が置かれた枕飾りが備え付けられる。そして、火葬後には骨壷と遺影を経机の上に戴置して故人との別れを惜しむための一定期間（例えば４９日間）、後飾り祭壇等が用意されて経机等の必要な道具が用いられる。
【先行技術文献】
【特許文献】
【０００３】
【特許文献１】実用新案登録第３１２１０１１号
【考案の概要】
【考案が解決しようとする課題】
【０００４】
しかし、従来においては、枕飾りに用いられる白木机と火葬後の後飾り祭壇等に遺影等を置くために用いられる経机とは別途用意して使われており、遺族の葬儀費用の負担ともなっていた。
【課題を解決するための手段】
【０００５】
そこで、上記課題を解決するための手段として本願実用新案に係る経机カバーセットは、枕飾りに使用される白木机の天板の左右の長さ以上のカバー長さと、少なくとも前記天板の前後幅及び前記白木机の正面高さを合わせたカバー幅とを有する矩形形状に形成されてなる机カバーと、大きさの異なる正方形状からなる大座布団及び小座布団とを備え、前記机カバーを前記白木机に被せた場合に、前記机カバーが前記白木机の天板の上面全体及び少なくとも前記白木机の正面全体を被覆可能であり、前記白木机に前記机カバーを被せ、かつ前記天板上を覆った前記机カバー上に大座布団及び小座布団を左右に並べて配置することによって、後飾り祭壇に用いられる経机を形成することができることを特徴とする。
【０００６】
白木机は天板、左右脚部、及び脚部固定板が白木で製作された白色の机である。白木机の不使用時には脚部固定板を左右脚部に設けられた切込みから引き抜き、続いて左右脚部を内側に折り畳むことで、容易に収納できるように構成されていても好ましい。
【０００７】
机カバーは、上記大きさ以上の大きさのカバー長さとカバー幅を有する矩形形状に形成されることによって、白木机の正面、背面及び両側面をすべて覆うことができる大きさに形成されていても好ましい。具体的にはカバー長さを白木机の天板の左右長さに白木机の高さの二倍の長さを加えた長さとし、カバー幅を天板の前後幅に白木机の高さの二倍の長さを加えた幅とすることが好ましい。机カバーがこのような大きさに形成されることによって、白木机に机カバーを被せると白木机を前後左右から完全に見えなくすることができ、枕飾りで使用されていた白木机の厳かな雰囲気を、柔らかな雰囲気に変えることができるからである。また、机カバーは前記柔らかな雰囲気に加えて明るい雰囲気を付加させることもできる。
【０００８】
大座布団及び小座布団は、それぞれ一つずつ用いられることが好ましい。また大座布団及び小座布団は、経机に被せた机カバー上に左右に並べて配置したときに、天板からはみ出ない大きさに形成されていることが好ましい。より好ましくは、大座布団及び小座布団のそれぞれの一辺の長さは天板の左右長さの半分以下であることが良い。
【考案の効果】
【０００９】
本願考案に係る経机カバーセットを用いることによって、枕飾りの台として使用した白木机を火葬後の後飾り祭壇に用いられる経机を形成するためにも利用することができ、遺族の葬儀にかかる経済的負担を軽減することができる。
【図面の簡単な説明】
【００１０】
【図１】枕飾り１に使用されている白木机２の全体を示す斜視図である。
【図２】経机１８を構成する白木机２、机カバー１５、大座布団１６及び小座布団１７の分解斜視図である。なお、机カバー１５は矩形形状に広げた状態で示している。
【図３】経机１８の使用状態を示す斜視図である。
【考案を実施するための形態】
【００１１】
以下、本願考案に係る実施の形態を、図を参照しながら詳しく説明する。
【００１２】
家人が亡くなると、通夜から葬儀までの間遺体は自宅等に安置され、遺体の枕元には図１に示すように枕飾り１が置かれ、枕飾りの台として用いられる白木机２の上には香炉３、燭台４、花立て５、鈴６、水７、枕飯８、及び枕団子９等が配置され、御悔みに訪れた人々が故人を偲ぶための祭壇として用いられる。
【００１３】
一方、葬儀が終わり、遺体の火葬が終わると故人の遺影１０や遺骨を入れた骨壷１１、位牌１２等を安置して、葬儀が終わった後にも遺族が故人を偲ぶために図３に示すような後飾り祭壇１３が設けられる。本願考案においては、枕飾り１で枕飾りの台として使用された白木机２に、図２に示すように経机カバーセット１４を構成する机カバー１５を被せ、その後同じく経机カバーセット１４を構成する大座布団１６及び小座布団１７を机カバー１５の上に左右に並べて配置することによって後飾り祭壇１３を構成する経机１８を形成する。
【００１４】
枕飾り１に使用される白木机２を構成する部品は白木で作成され、遺体の傍に設置される枕飾り１に清潔感と共に厳かな雰囲気を与える。一方、本願考案に係る経机カバーセット１４を白木机２に被せて経机１８を形成すると、後飾り祭壇１３全体の雰囲気を白木机２の厳かな雰囲気から柔らかな雰囲気に変化させる効果を発揮する。また、机カバー１５の表面には花文様などが付されていても好ましく、花文様などの模様が付されていることによって経机１８に柔らかな雰囲気に加えて絢爛な明るい雰囲気を付加させることができる。
【００１５】
本願考案に係る経机カバーセット１４を使用して経机１８を形成することによって、枕飾り１で使用されていた白木机２の厳かな雰囲気を柔らかい雰囲気に変えることができ、故人を偲ぶ遺族の心を徐々に明るく変化させる効果をもたらすことができる。
【００１６】
白木机２は、図１に示すように上端部に天板１９が配置され、天板１９の裏面には左脚部２０及び右脚部２１が取り付けられている。
【００１７】
左脚部２０及び右脚部２１には、それぞれの前端面の中央高さ部分から後方に向かって切込み２２、２３が形成されている。切込み２２、２３は、左右脚部２０、２１の底面からの高さが同じとなるように形成されている。
【００１８】
白木机２の使用時において、前記切込み２２、２３には、脚部固定板２４が着脱可能に挿し入れられている。脚部固定板２４を切込み２２、２３の奥まで挿し入れて組み合わせることによって、左右脚部２０、２１の強度を向上させることができる。
【００１９】
なお、白木机２を構成する天板１９等の他の部品及び脚部固定板２４は白木で作成され、脚部固定板２４を切込み２２、２３への挿し込んで組み上げた後においても白木机２全体は一体性を損なうことなく白い厳かな雰囲気を保つことができる。
【００２０】
ここで、図２に示すように前記天板１９は左右長さＤ１及び前後幅Ｌ１を有する。また、白木机２の高さはＨとする。一方、机カバー１５はカバー長さＤ２及びカバー幅Ｌ２からなる矩形形状に形成されており、綿入りの布製袋体で構成されている。机カバー１５は、Ｄ２＝Ｄ１＋Ｈ、及びＬ２＝Ｌ１の大きさに構成されていれば、机カバー１５を白木机２に被せた時に天板１９の上面全体及び白木机２の正面部分を正面方向から見たときに隠すことができるため、白木机２から感じられる厳かな雰囲気を隠すことができ、机カバー１５によって柔らかな雰囲気に変えることができる。
【００２１】
なお、本実施形態においては、机カバー１５は、Ｄ２＝Ｄ１＋２×Ｈ、及びＬ２＝Ｌ１＋２×Ｈとなるように形成されている。カバー幅Ｄ２及びカバー長さＬ２をこのような条件を満たすように机カバー１５を形成することによって、経机１８の正面、背面、及び左右両側面からも内部の白木机２を視認することはできず、白木机２から感じられる厳かな雰囲気を完全に隠すことができ、机カバー１５によって柔らかな雰囲気に変えることができる。このとき、白木机２に被せられた机カバー１５の下端が床にちょうど接地した状態であれば白木机２を完全に隠すことができるため好ましい。しかし、本実施形態におけるカバー幅Ｄ２及びカバー長さＬ２の値は完全に上記条件と完全に等しくなければ白木机２から感じられる厳かな雰囲気を隠すことができないものではなく、白木机２に被せた場合に机カバー１５の下端の下から左右脚部２０、２１の下端前部２５、２６が見える程度に、カバー幅Ｄ２若しくはカバー長さＬ２、又はＤ２及びＬ２が短く形成されていても好ましい。下端前部２５、２６が見える程度であっても前述の枕飾り１に使用されていた白木机２の厳かな雰囲気を机カバー１５によって柔らかい雰囲気に変える効果はほとんど失われないためである。
【００２２】
なお、机カバー１５と共に骨壷１１を安置するための大座布団１６及び位牌１２を安置するための小座布団１７を机カバー１５の上に置くことで、骨壷１１と位牌１２を机カバー１５上に直接安置するよりもより気遣いのある後飾り祭壇１３としての外観を実現することができ、机カバー１５が与える柔らかな雰囲気と共に遺族が故人を偲ぶときにより安らかな気持ちを重ねて与えることができる。
【００２３】
以上に述べたとおり、本願考案に係る経机カバーセット１４を用いることで、白木机２を経机１８の一部として再利用することができる。これにより、白木机２の厳かな雰囲気を柔らかな雰囲気に変えることができると共に、通常においては枕飾り用と後飾り祭壇用に別途台を購入して用意していた遺族に対する経済的な負担を軽減することができる。
【符号の説明】
【００２４】
１    枕飾り
２    白木机
１３  後祭り祭壇
１４  経机カバーセット
１５  机カバー
１６  大座布団
１７  小座布団
１８  経机 
【図１】
0003179865.tif 000003
【図２】
0003179865.tif 000004
【図３】
0003179865.tif 000005